(57)【要約】【課題】  付属品の携帯を忘れることのない屋外に設置される電子機器を提供する。【解決手段】  ケース本体部３は、下壁１１、左側壁１２、右側壁１３で囲まれて上面と前面が開口され、内部に増幅部３０と電源部３１が収納されており、下壁１１から増幅部３０の入力端子５と出力端子６とが突出され、この端子５，６を取り囲むようにリング状部１５が突出して形成されている。蓋部２は、ケース本体部３に開閉自在に枢支され、ケース本体部３の開口を覆う前面板２１の内面に、リング状部１５に先端が嵌合される防水ブーツ３２を保持する２つのリブ２５，２６が対面して形成されている。蓋部２をケース本体部３に被嵌した際に、増幅部３０の上面と蓋部２の前面板２１との間に形成されるデッドスペースに、前面板に形成された２つのリブで保持されている防水ブーツが収容される。【選択図】  図１
2014216853.tif 000002
【特許請求の範囲】
【請求項１】
内部に収納空間を有すると共に側壁部の一側と前面が開口されている形状とされ、前記収納空間に電子機能部が収納されており、下壁から前記電子機能部の入力用あるいは出力用の複数の端子が突出され、前記下壁に前記複数の端子を取り囲むようにリング状部が突出して形成されているケース本体部と、
該ケース本体部の前記一側に回転可能に枢支されて前記ケース本体部に被嵌されると共に、内部に収納空間を有する形状とされて、前記ケース本体部に被嵌された際に、前記前面の開口を覆う前面板の内側に、前記リング状部に先端が嵌合される防水ブーツを保持する２つのリブが対面して形成されている蓋部とを備え、
前記ケース本体部と前記蓋部とで筐体が構成され、前記ケース本体部に前記蓋部を被嵌した際に、前記電子機能部の上面と前記蓋部の前記前面板との間にデッドスペースが形成され、前記蓋部を前記ケース本体部に被嵌した際に、前記前面板に形成された前記２つのリブで保持されている前記防水ブーツが、前記筐体の前記デッドスペース内に収容されるようにしたことを特徴とする電子機器。
【請求項２】
前記防水ブーツは、円筒状の本体部と、該本体部より径が細くされた小径部が、前記本体部に連接されて構成され、
前記２つのリブの一方に、前記防水ブーツの前記小径部が嵌合されるＵ字溝が形成されており、
前記防水ブーツの前記小径部が前記Ｕ字溝に嵌合されると共に、前記２つのリブで前記防水ブーツが挟持されることにより、前記２つのリブで前記防水ブーツが保持されることを特徴とする請求項１記載の電子機器。
【請求項３】
前記防水ブーツは、円筒状の本体部と、該本体部より径が細くされた小径部が、前記本体部に連接されて構成され、
前記２つのリブの一方に、前記防水ブーツの前記小径部が嵌入される上部が切り取られた切欠を有する円形状のΩ状溝が形成されており、
前記防水ブーツの前記小径部が前記Ω状溝に嵌入されると共に、前記２つのリブで前記防水ブーツが挟持されることにより、前記２つのリブで前記防水ブーツが保持されることを特徴とする請求項１記載の電子機器。
【請求項４】
前記２つのリブの他方において、前記２つのリブの一方に対面する面に前記前面板に向かって高さが高くなるくさび状とされた細長い突起片が形成され、該突起片の下端と前記前面板の内面との間に、前記防水ブーツの前記本体部の先端の下部が嵌入される間隙が設けられていることを特徴とする請求項２または３記載の電子機器。
【発明の詳細な説明】
【技術分野】
【０００１】
本発明は、屋外に設置される電子機器であって、本体内に防水ブーツを収納できるようにした電子機器に関する。
【背景技術】
【０００２】
テレビ受信用のアンテナで受信した受信信号は、一般に同軸ケーブルを介してテレビジョンに入力される。この場合、テレビジョンが複数台設けられている場合は、分配器を用いて受信信号を複数に分配して、分配した受信信号がそれぞれテレビジョンに入力されるようになる。複数台のテレビジョンがある場合に、各テレビジョンに入力される受信信号は、同軸ケーブルの伝送損失や分配器の分配損失により受信レベルが低下するようになり、十分な受信レベルが得られない場合がある。特許文献１に示すようなテレビ受信用ブースタは、受信信号を増幅する増幅器が内蔵されており、増幅器により受信信号を増幅することで、同軸ケーブルの伝送損失や分配器の分配損失などの影響を改善することができる。このテレビ受信用ブースタは、アンテナの直下に設けられると、その改善効果を高くすることができる。
【０００３】
ここで、テレビ受信用のアンテナは、家屋の外壁や屋根の上など屋外の環境に設置されることが多いことから、テレビ受信用のブースタは、アンテナが設けられているポールや家屋の外壁に設置されるようになる。テレビ受信用のブースタ１０１をポール１０４に設置する例を図１１に示し、その構成の一部を拡大して図１２に示す。
これらの図に示すように、テレビ信号を受信するＴＶアンテナ１００は、ポール１０４の上部に取り付けられており、ポール１０４は家屋の屋根に屋根馬により設置されている。ポール１０４の中途にはブースタ１０１が取付金具１０５により固着されており、ＴＶアンテナ１００で受信した受信信号が、同軸ケーブル１０２を伝搬してブースタ１０１に入力されている。ブースタ１０に入力された受信信号は、ブースタ１０１に内蔵されている増幅器により増幅され、同軸ケーブル１０３を介して出力される。同軸ケーブル１０３は家屋内に引き込まれて、同軸ケーブル１０３を伝搬した受信信号は分配器で分配されてテレビジョンに供給される。
【０００４】
また、図１３に、テレビ受信用のブースタ１０１を家屋の外壁に設置する例を示し、その構成の一部を拡大して図１４に示す。
これらの図に示すように、テレビ信号を受信するＴＶアンテナ１００は、ポール１０４の上部に取り付けられており、ポール１０４は家屋の屋根に屋根馬により設置されている。家屋の外壁２００にはブースタ１０１が設けられており、ＴＶアンテナ１００で受信した受信信号が、同軸ケーブル１０２を伝搬してブースタ１０１に入力されている。ブースタ１０に入力された受信信号は、ブースタ１０１に内蔵されている増幅器により増幅され、同軸ケーブル１０３を介して出力される。同軸ケーブル１０３は家屋内に引き込まれて、同軸ケーブル１０３を伝搬した受信信号は分配器で分配されてテレビジョンに供給される。
なお、図１１ないし図１４に示す屋外に設置されているブースタ１０１では、同軸ケーブル１０２，１０３の先端に設けられている同軸プラグが、ブースタ１０１の下面に設けられている同軸コネクタに接続される部位から雨水等が浸入するおそれがある。これを防止するために、図１２，図１４に示すように、同軸プラグと同軸コネクタの接続部分を覆うように防水ブーツ１０６が設けられている。
【０００５】
防水ブーツ１０６の構成を図１５に示す。図１５に示すように、防水ブーツ１０６は柔軟な合成樹脂製とされており、内部に貫通孔が形成された円筒状とされている。防水ブーツ１０６は、径の大きい円筒状の本体部１０６ａと、本体部１０６ａより若干径が細くされた第１小径部１０６ｂと、第１小径部１０６ｂより若干径が細くされた第２小径部１０６ｃと、第２小径部１０６ｃより若干径が細くされた第３小径部１０６ｄとを備えている。防水ブーツ１０６の大きい径とされている本体部１０６ａの上端は、ブースタ１０１の下面に設けられている同軸コネクタを取り囲むように突出して形成されているリング状突起の外周面に嵌合され、最も径が細くされている第３小径部３２ｄの内周面は、同軸ケーブル１０２，１０３の外周面に密着している。これにより、同軸プラグと同軸コネクタの接続部分が防水ブーツ１０６で覆われることから、雨水等が接続部分からブースタ１０１の内部に浸入することを防止することができる。また、ブースタ１０１には、同軸ケーブル１０３を介して家屋内に設置した電源部から動作用の電源が供給される。
【先行技術文献】
【特許文献】
【０００６】
【特許文献１】実開昭５７−２７４１号公報
【発明の概要】
【発明が解決しようとする課題】
【０００７】
ブースタ１０１の下面には、例えば３つの同軸コネクタが設けられていることから、それぞれの同軸コネクタに設けられる３つの防水ブーツ１０６が必要となる。このため、図１６に示すようにブースタ１０１を販売のためにポリエチレン製等の梱包袋３００に収納した際には、ブースタ１０１が梱包される梱包袋３００の中に３つの防水ブーツ１０６が付属品として同梱される。あるいは、ブースタ１０１が収納される個装箱の中に、ブースタ１０１とは別に付属品の防水ブーツ１０６が同梱される。なお、図１６に示すブースタ１０１は、取り外し自在とされた電源部を内蔵しており、電源部から導出された電源ケーブル１０１ａが示されている。
【０００８】
上記したように、ブースタ１０１等の屋外に設置される電子機器においては、雨水の侵入を防ぐために同軸ケーブルが導入される部分に防水ブーツが設けられる。このため、電子機器を梱包する際には電子機器に付属品の防水ブーツを同梱する必要があることから、梱包袋が大きくなると共に、梱包袋を収納する個装箱も大きくなると云う問題点があった。また、付属品のためにポリ袋などを利用して電子機器に同梱するなど余計な梱包材が必要になるという問題点もある。
さらに、梱包された状態において防水ブーツに電子機器の本体により圧力が加わると、防水ブーツが変形してしまうおそれがあるという問題点もある。
さらにまた、電子機器を設置する際には、設置する電子機器とは別に防水ブーツ等の付属品を用意して携帯し、屋根の上やはしごの上などの高所へ出向く必要がある。しかしながら、防水ブーツ等の付属品を携帯することを忘れてしまうことや、さらには高所から付属品を落としてしまうと云う問題点があった。
【０００９】
そこで、本発明は、付属品の携帯を忘れることのない屋外に設置される電子機器を提供することを目的としている。
【課題を解決するための手段】
【００１０】
本発明の電子機器は、内部に収納空間を有すると共に側壁部の一側と前面が開口されている形状とされ、前記収納空間に電子機能部が収納されており、下壁から前記電子機能部の入力用あるいは出力用の複数の端子が突出され、前記下壁に前記複数の端子を取り囲むようにリング状部が突出して形成されているケース本体部と、該ケース本体部の前記一側に回転可能に枢支されて前記ケース本体部に被嵌されると共に、内部に収納空間を有する形状とされて、前記ケース本体部に被嵌された際に、前記前面の開口を覆う前面板の内側に、前記リング状部に先端が嵌合される防水ブーツを保持する２つのリブが対面して形成されている蓋部とを備え、前記ケース本体部と前記蓋部とで筐体が構成され、前記ケース本体部に前記蓋部を被嵌した際に、前記電子機能部の上面と前記蓋部の前記前面板との間にデッドスペースが形成され、前記蓋部を前記ケース本体部に被嵌した際に、前記前面板に形成された前記２つのリブで保持されている前記防水ブーツが、前記筐体の前記デッドスペース内に収容されるようにしたことを最も主要な特徴としている。
【発明の効果】
【００１１】
本発明の電子機器は、蓋部とケース本体部からなる筐体のデッドスペース内に付属品とされる防水ブーツを収納している。これにより、防水ブーツを収納するための空間を筐体内に作成することなく、防水ブーツを筐体内に収納することができる。このため、電子機器を梱包する梱包袋や個装箱内に付属品の防水ブーツを別途同梱する必要がなくなることから、梱包袋や個装箱を小さくすることができる。また、付属品のための梱包材も不要となる。さらに、電子機器を梱包する梱包袋や個装箱内に付属品の防水ブーツが別途同梱されていないことから、梱包状態において防水ブーツが変形するおそれをなくすことができる。
さらにまた、電子機器を設置する際には、設置する電子機器だけを携帯して屋根の上やはしごの上などの高所へ出向けばよく、防水ブーツを携帯することを忘れてしまうことを防止するこことができる。なお、２つのリブの一方に、防水ブーツの本体部に連接された小径部が嵌合される溝を設ける構成とすると、蓋部をケース本体部に対して被嵌した際に、防水ブーツが２つのリブの間から外れることがなく、高所から防水ブーツを落としてしまうことを極力防止することができるようになる。
【図面の簡単な説明】
【００１２】
【図１】本発明の実施例のブースタの構成を示す斜視図である。
【図２】本発明の実施例のブースタにおいて、蓋部を中途まで開けた状態の構成を示す斜視図である。
【図３】本発明の実施例のブースタにおいて、蓋部を開けた状態の構成を示す正面図である。
【図４】本発明の実施例のブースタにおいて、蓋部を開けた状態の構成を示す側面図である。
【図５】本発明の実施例のブースタにおける蓋部の構成を示す斜視図である。
【図６】本発明の実施例のブースタにおける防水ブーツの構成を示す平面図および側面図である。
【図７】本発明の実施例のブースタにおける嵌合用リブおよび押さえリブの構成を示す図である。
【図８】本発明の実施例のブースタにおいて、防水ブーツが保持された蓋部の構成を示す図である。
【図９】本発明の実施例のブースタにおいて、蓋部に防水ブーツが保持される構成を示す図である。
【図１０】本発明の実施例のブースタにおける嵌合用リブの他の構成例を示す図である。
【図１１】テレビ受信用のブースタをポールに設置する構成の例を示す図である。
【図１２】テレビ受信用のブースタをポールに設置する構成の一部を拡大して示す図である。
【図１３】テレビ受信用のブースタを家屋の外壁に設置する構成の例を示す図である。
【図１４】テレビ受信用のブースタを家屋の外壁に設置する構成の一部を拡大して示す図である。
【図１５】従来の防水ブーツの構成を示す平面図である。
【図１６】従来のブースタを梱包した状態を示す図である。
【発明を実施するための形態】
【００１３】
本発明の電子機器の実施例であるブースタの構成を図１ないし図４に示す。図１はブースタの構成を示す斜視図であり、図２は蓋部を中途まで開けた状態の構成を示す斜視図であり、図３は蓋部を開けた状態の構成を示す正面図であり、図４は蓋部を開けた状態の構成を示す側面図である。
これらの図に示すように、ブースタ１は、ケース本体部３と蓋部２とで構成される直方体状の内部に収納空間を有する筐体を備えており、ケース本体部３に蓋部２が被嵌されて筐体が構成されている。蓋部２の前面板２１の下端からは両側が斜辺とされて次第に幅が狭まる形状の張り出し片２１ａが形成されており、張り出し片２１ａに指をかけて手前側に力を加えると、回転支持部４でケース本体部３に枢支されている蓋部２が、回転支持部４を回転中心として手前側に回転し、蓋部２が開くようになる。ケース本体部３は、上面と前面が開口された内部に収納空間を有する箱状とされ、蓋部２は、後面と下面が開口された内部に収納空間を有する箱状とされている。蓋部２を開けた状態から、開けた場合と逆方向に蓋部２を回転させることにより、ケース本体部３の開口された前面を閉塞するよう被嵌することができる。この場合、蓋部２の前面板２１の下端から後面方向に突出して形成されている一対の係止片２４が、ケース本体部３の下壁１１の外面から略矩形とされた平板状に突出して形成されている係合部１４に係合するようになる。これにより、ケース本体部３に蓋部２が被嵌されて一体化される。
【００１４】
ケース本体部３の収納空間には、下側にテレビ受信信号を増幅する増幅部３０が内蔵され、増幅部３０に電源を供給する電源部３１が、取り外し可能に増幅部３０の上側に収容されている。増幅部３０には増幅回路が組まれた回路基板が収納されており、電源部３１を増幅部３０の上側に収納した際には、電源部３１から増幅部３０に動作用の電源が供給される。電源部３１からは、先端に電源プラグが設けられた電源ケーブル３１ａが導出されて、電源ケーブル３１ａはケース本体部３の下壁１１に形成された溝部から外部へ導出されている。
電源部３１の高さは、ケース本体部３の上面を除く三方の縁部から立設する下壁１１、左側壁１２、右側壁１３の高さとほぼ同様とされているが、増幅部３０の高さは下壁１１、左側壁１２、右側壁１３の高さより低くされて、増幅部３０の上面と下壁１１、左側壁１２、右側壁１３と電源部３１の側面とで囲まれた空間が存在している。この空間は、デッドスペースであるが、本発明にかかるブースタ１においては、筐体に形成されるこの空間を利用して付属品である防水ブーツ３２を収納している。また、増幅部３０の側面には増幅回路が組まれた回路基板に接続されている入力端子５および出力端子６を含む３つの同軸コネクタが突出して設けられており、この３つの同軸コネクタがケース本体部３の下壁１１に形成された貫通孔を貫通して下方へ突出している。この貫通孔のそれぞれの周囲から下方へ延伸するよう円筒状のリング状部１５が形成され、リング状部１５は、下壁１１から突出した３つの同軸コネクタのそれぞれを取り囲んでいる。さらに、下壁１１のほぼ中央の前側には横長の略矩形とされた平板状の係合部１４が立設して形成されている。
【００１５】
蓋部２は、前面板２１と、前面板２１の３方の縁部から立設する左側壁２２、右側壁２３と上壁２０から構成され、後面と下面とが開口されている。左側壁２２および右側壁２３の上部の縁部から後方へ突出している回転支持部４を回転軸として、蓋部２は、ケース本体部３に回転可能に支持されている。前面板２１の下端には後方へ向かって一対の矩形状の係止片２４が立設されている。この一対の係止片２４は、蓋部２を回転させてケース本体部３に被嵌した際に、下壁１１に形成されている係合部１４に係合する。係止片２４の先端部には先端に行くほど高さが低くなるくさび状の係合片が形成されており、この係合片が係合部１４に係合するようになる。また、蓋部２をケース本体部３に被嵌した際には、ケース本体部３の左側壁１２、右側壁１３の外側に、蓋部の左側壁２２、右側壁２３が重合するよう被嵌され、左側壁２２および右側壁２３の縁部に形成された幅が一段薄くされた部分が、左側壁１２および右側壁１３の根元に形成された溝部内に嵌入される。
【００１６】
蓋部２における前面板の内面には、例えば３つの防水ブーツ３２を保持するための嵌合用リブ２５と押さえリブ２６とが形成されている。嵌合用リブ２５と押さえリブ２６とにより保持された防水ブーツ３２は、蓋部２をケース本体部３に嵌合した際に、上記したデッドスペースである増幅部３０の上面と下壁１１、左側壁１２、右側壁１３と電源部３１の側面とで囲まれた空間に収納される。
【００１７】
ここで、蓋部２の詳細構成を示す斜視図を図５に示す。図５に示すように、蓋部２は、前面板２１と、前面板２１の３方の縁部から立設する左側壁２２、右側壁２３と上壁２０から構成され、後面と下面とが開口されて内部に収納空間を有する形状とされている。上壁２０の高さは左側壁２２および右側壁２３の高さより高くされており、左側壁２２および右側壁２３の上部が上壁２０の高さに合わせるよう突出している。この突出している左側壁２２および右側壁２３に回転支持部４を構成している穴部４ｂがそれぞれ形成されている。この穴部４ｂには、ケース本体部３の左側壁１２および右側壁１３の上部の後側にそれぞれ形成されている図示しない円形の突起が嵌合されることにより、ケース本体部３に蓋部２を枢支する回転支持部４が構成されている。前面板２１の内側の中央より下側の左右に横長とされた矩形状の嵌合用リブ２５と押さえリブ２６とが対面して立設されている。嵌合用リブ２５には、保持する防水ブーツ３２の数に等しいＵ字溝２５ａが形成されており、このＵ字溝２５ａにそれぞれ対向するように、押さえリブ２６に突起片２６ａが、Ｕ字溝２５ａの数と同数形成されている。
【００１８】
次に、防水ブーツ３２の詳細構成を示す平面図を図６（ａ）に、その側面図を図６（ｂ）に示す。
防水ブーツ３２は、図１，２に示すブースタ１の入力端子５および出力端子６を含む３つの同軸コネクタの周囲に形成されたリング状部１５に嵌合されて、ブースタ１に雨水等が浸入しないようにする作用を奏している。防水ブーツ３２は柔軟な合成樹脂製とされており、図６（ａ）（ｂ）に示すように、内部に貫通孔３２ｅが形成された円筒状とされている。防水ブーツ３２は、本体部３２ａと、本体部３２ａに連接された第１小径部３２ｂ、第２小径部３２ｃ、第３小径部３２ｄとから構成されている。本体部３２ａは、径の大きい円筒状とされ長さがＬとされており、第１小径部３２ｂは、本体部３２ａより若干径が細い外径Ｄの円筒状とされ長さが短くされており、第２小径部３２ｃは、第１小径部３２ｂより若干径が細い円筒状とされ長さが短くされており、第３小径部３２ｄは、第２小径部３２ｃより若干径が細い円筒状とされ長さが短くされている。防水ブーツ３２の最も大きい径とされている本体部３２ａの先端部は、ブースタ１の下壁１１に設けられている同軸コネクタを取り囲むように突出して形成されているリング状部１５の外周面に嵌合される。また、最も径が細くされている第３小径部３２ｄの内周面は、入力端子５および出力端子６を含む３つの同軸コネクタに接続される同軸プラグが設けられている同軸ケーブルの外周面に密着される。この場合、同軸ケーブルの外径が第３小径部３２ｄの貫通孔３２ｅの内径より太い場合は、第３小径部３２ｄを切り取って貫通孔３２ｅの内径を第２小径部３２ｃのより大きい内径として、太い同軸ケーブルの外径に合わせるようにする。同軸ケーブルがより太い場合は、第２小径部３２ｂまで切り取って貫通孔３２ｅの内径を第１小径部３２ｂのより大きい内径として、より太い同軸ケーブルの外径に合わせるようにする。これにより、防水ブーツ３２と同軸ケーブルが水密に結合すると共に、同軸プラグと同軸コネクタの接続部分が防水ブーツ３２の本体部３２ａで覆われることから、雨水等が接続部分からブースタ１の内部に浸入することを防止することができる。
【００１９】
次に、嵌合用リブ２５の詳細構成を図７（ａ）に、嵌合用リブ２５と押さえリブ２６とを対面して配置する構成を図７（ｂ）（ｃ）に、押さえリブ２６の構成を図７（ｄ）に示す。
蓋部２の前面板２１に形成されている図７（ａ）に示す嵌合用リブ２５は、前面板２１の上下方向に沿って形成されており、ブースタ１の付属品とされる防水ブーツ３２の数に等しいＵ字溝２５ａが、例えば３つ形成されている。このＵ字溝２５ａの開口端の寸法をｄとすると、寸法ｄは、防水ブーツ３２における第１小径部３２ｂの外径Ｄより若干小さく（ｄ＜Ｄ）されている。図７（ａ）に示す嵌合用リブ２５に対面して、図７（ｂ）に示すように押さえリブ２６が蓋部２の前面板２１に形成されている。嵌合用リブ２５と押さえリブ２６との相向かう面の間の距離をｌ（小文字のエル）とすると、距離ｌは、防水ブーツ３２の本体部３２ａの長さＬより若干短く（ｌ＜Ｌ）される。
【００２０】
また、図７（ｃ）に示すように押さえリブ２６に突起片２６ａが形成されている場合は、嵌合用リブ２５と押さえリブ２６の突起片２６ａの前面との間の距離をｌ１とし、嵌合用リブ２５と押さえリブ２６との相向かう面の間の距離をｌ２とすると、距離ｌ１および距離ｌ２は、防水ブーツ３２の本体部３２ａの長さＬより若干短く（ｌ１＜Ｌ，ｌ２＜Ｌ）される。なお、突起片２６ａは細長い形状とされ、図５に示すようにＵ字溝２５ａの数と同数形成されており、Ｕ字溝２５ａのほぼ中央に対向する位置に形成されている。また、突起片２６ａは、前面板２１に向かって高さが高くなるくさび状とされ、その下端と前面板２１の内面との間に間隙が設けられている。この間隙には、嵌合用リブ２５と押さえリブ２６との間に防水ブーツ３２が保持された際に、図７（ｄ）に示すように本体部３２ａの先端の下部が嵌入されるようになり、くさび状の突起片２６ａの作用により防水ブーツ３２が嵌合用リブ２５と押さえリブ２６との間から抜け出ることが防止される。
【００２１】
蓋部２の前面板２１の内側に形成されている嵌合用リブ２５と押さえリブ２６との間に防水ブーツ３２を保持する際には、防水ブーツ３２の本体部３２ａの先端の下部を押さえリブ２６の下端と前面板２１との間隙に嵌入し、柔軟な素材からなる防水ブーツ３２をやや押し縮めながら第１小径部３２ｂを嵌合用リブ２５のＵ字溝２５ａに嵌合させる。３つの防水ブーツ３２を、上記のようにして嵌合用リブ２５と押さえリブ２６との間に挟持するよう保持された構成を図８に示し、図８において、防水ブーツ３２の第３小径部３２ｄ側から見た構成を図９（ａ）に示し、図８において、前面板２１の係止片２４側から見た構成を図９（ｂ）に示す。この場合、嵌合用リブ２５と押さえリブ２６との距離ｌが本体部３２ａの長さＬより若干短くされていることから、防水ブーツ３２の本体部３２ａは若干押し縮められて挟持され嵌合用リブ２５と押さえリブ２６との間に保持される。また、Ｕ字溝２５ａの開口端の寸法ｄが第１小径部３２ｂの外径Ｄより若干小さいことから、防水ブーツ３２の第１小径部３２ｂは若干押し縮められてＵ字溝２５ａ内に挟持されている。これにより、蓋部２をケース本体部３に対して回転させて開閉した際に、防水ブーツ３２が嵌合用リブ２５と押さえリブ２６との間から外れることがないように確実に保持されるようになる。
【００２２】
本発明にかかるブースタ１においては、蓋部２とケース本体部３からなるブースタ１のケースのデッドスペース内に付属品とされる防水ブーツ３２を収納している。これにより、ブースタ１を梱包する梱包袋や個装箱内に付属品の防水ブーツ３２を別途同梱する必要がなくなることから、梱包袋や個装箱を小さくすることができる。また、付属品のための梱包材も不要となる。さらに、ブースタ１を梱包する梱包袋や個装箱内に付属品の防水ブーツ３２を別途同梱されていないことから、梱包状態において防水ブーツ３２が変形するおそれをなくすことができる。
さらにまた、ブースタ１を設置する際には、設置するブースタ１だけを携帯して屋根の上やはしごの上などの高所へ出向けばよく、防水ブーツ３２を携帯することを忘れてしまうことを防止するこことができる。なお、蓋部２をケース本体部３に対して回転させて開閉しても、防水ブーツ３２が嵌合用リブ４５と押さえリブ２６との間から外れることがないことから、高所から防水ブーツ３２を落としてしまうことを極力防止することができる。
【００２３】
次に、嵌合用リブ２５の他の構成例の嵌合用リブ４５の構成を図１０に示す。
図１０に示す嵌合用リブ４５は、蓋部２の前面板２１に形成することができる。嵌合用リブ４５は、前面板２１の上下方向に沿って形成され、ブースタ１の付属品とされる防水ブーツ３２の数に等しいΩ状溝４５ａが、例えば３つ形成されている。このΩ状溝４５ａは、上部が切り取られた切欠４５ｂを有する円形状の溝とされている。Ω状溝４５ａの切欠４５ｂの寸法をｄ１とし、内径の寸法をｄ２とすると、寸法ｄ１は、防水ブーツ３２における第１小径部３２ｂの外径Ｄより小さく（ｄ１＜Ｄ）されており、寸法ｄ２は、第１小径部３２ｂの外径Ｄとほぼ同じ（ｄ２≒Ｄ）か、若干小さく（ｄ２＜Ｄ）されている。
【００２４】
図１０に示す嵌合用リブ４５とした場合にも押さえリブ２６の構成は同様とされ、嵌合用リブ４５と押さえリブ２６との間に防水ブーツ３２を保持する際には、防水ブーツ３２の本体部３２ａの先端の下部を押さえリブ２６の下端と前面板２１との間隙に嵌入し、柔軟な素材からなる防水ブーツ３２をやや押し縮めると共に、第１小径部３２ｂを押し縮めて嵌合用リブ４５の切欠４５ｂを通過させる。切欠４５ｂを通過した第１小径部３２ｂはΩ状溝４５ａ内に嵌入されて元の円筒状の形状に復帰する。この場合、嵌合用リブ４５と押さえリブ２６との距離ｌが本体部３２ａの長さＬより若干短くされていることから、防水ブーツ３２の本体部３２ａは若干押し縮められて挟持され嵌合用リブ４５と押さえリブ２６との間に保持される。また、Ω状溝４５ａに嵌入された第１小径部３２ｂの外径Ｄは、切欠４５ｂの寸法より大きいことから、防水ブーツ３２の第１小径部３２ｂはΩ状溝４５ａ内から容易には抜け出ないようになる。これにより、蓋部２をケース本体部３に対して回転して開閉した際に、防水ブーツ３２が嵌合用リブ４５と押さえリブ２６との間から外れることがないように確実に保持されるようになる。
【産業上の利用可能性】
【００２５】
上記の説明では、本発明の電子機器の実施例をブースタとしたが、本発明はブースタに限らず、屋外に設置される電子機器であって蓋部とケース本体部からなる防滴ケースを有する電子機器の全般に適用することができる。この場合、ケース本体部は、四方が壁部で囲まれて前面が開口され、内部に例えば増幅部とされる電子機能部が収納されており、下壁から電子機能部用の入力用あるいは出力用の複数の端子が突出され、下壁に複数の端子を取り囲むようにリング状部が突出して形成されている。また、蓋部は、ケース本体部に開閉自在に枢支され、ケース本体部の開口を閉じる前面板と、該前面板の３方の縁部から立設する壁部からなり、前面板の内面に、リング状部に先端が嵌合される防水ブーツを保持する２つのリブが対面して形成されている。そして、ケース本体部に蓋部を閉じた際に、電子機能部の上面と蓋部の前面板との間にデッドスペースが形成され、蓋部をケース本体部に閉じた際に、前面板に形成された２つのリブで保持されている防水ブーツが、デッドスペース内に収容されるようになる。
なお、本発明の電子機器の実施例であるブースタにおいては、ケース本体部に取り外し自在に電源部が収容されている。このブースタが家屋の外壁に取り付けられる場合に、近傍の外壁等に商用電源のコネクタが設けられている時は、電源部をブースタに内蔵した状態として、電源部から導出された電源ケーブルの先端のプラグを商用電源のコネクタに装着すれば、ブースタを動作させることができる。また、近傍に商用電源のコネクタが設けられていない場合、あるいは、ブースタがポールに取り付けられる場合は、電源部をブースタから取り外して屋内に設置すると共に、電源部から導出された電源ケーブルの先端のプラグを屋内の商用電源のコネクタに装着する。電源部には、入力用と出力用との２つの同軸コネクタが設けられており、ブースタの出力端子に接続された同軸ケーブルを屋内に引き込んで電源部の入力用の同軸コネクタに接続し、電源部の出力用のコネクタに接続した同軸ケーブルを分配器あるいはテレビジョンに接続する。電源部から供給される電源は入力用の同軸コネクタから出力されており、この電源がブースタの出力用の出力端子に供給される。ブースタにおいては出力端子から供給された電源は分離されて増幅部に供給され、これによりブースタを動作させることができる。
【符号の説明】
【００２６】
１  ブースタ、２  蓋部、３  ケース本体部、４  回転支持部、４ｂ  穴部、５  入力端子、６  出力端子、１０  ブースタ、１１  下壁、１２  左側壁、１３  右側壁、１４  係合部、１５  リング状部、２０  上壁、２１  前面板、２１ａ  張り出し片、２２  左側壁、２３  右側壁、２４  係止片、２５  嵌合用リブ、２５ａ  Ｕ字溝、２６  押さえリブ、２６ａ  突起片、３０  増幅部、３１  電源部、３１ａ  電源ケーブル、３２  防水ブーツ、３２ａ  本体部、３２ｂ  第１小径部、３２ｃ  第２小径部、３２ｄ  第３小径部、３２ｅ  貫通孔、４５  嵌合用リブ、４５ａ  Ω状溝、４５ｂ  切欠、１００  アンテナ、１０１  ブースタ、１０１ａ  電源ケーブル、１０２  同軸ケーブル、１０３  同軸ケーブル、１０４  ポール、１０５  取付金具、１０６  防水ブーツ、１０６ａ  本体部、１０６ｂ  第１小径部、１０６ｃ  第２小径部、１０６ｄ  第３小径部、２００  外壁、３００  梱包袋
【図１】
2014216853.tif 000003
【図２】
2014216853.tif 000004
【図３】
2014216853.tif 000005
【図４】
2014216853.tif 000006
【図５】
2014216853.tif 000007
【図６】
2014216853.tif 000008
【図７】
2014216853.tif 000009
【図８】
2014216853.tif 000010
【図９】
2014216853.tif 000011
【図１０】
2014216853.tif 000012
【図１１】
2014216853.tif 000013
【図１２】
2014216853.tif 000014
【図１３】
2014216853.tif 000015
【図１４】
2014216853.tif 000016
【図１５】
2014216853.tif 000017
【図１６】
2014216853.tif 000018